(57)【要約】【課題】本来の防災用途だけでなく防犯用途にも利用できる火災警報器を提供する。【解決手段】防犯モードに設定されている制御部１は、火災検知部２で火災が検知されていないときにスピーカ５から生活音を鳴動させる。故に、留守中であっても人が居るように見せかけて空き巣等の犯罪を防止することができ、しかも、照明の点灯・消灯を利用する場合と違い、夜間だけでなく日中でも人が居るように見せかけることができる。その結果、火災警報器を本来の防災用途だけでなく防犯用途にも利用できる。【選択図】        図１
2010073043.tif 000002
【特許請求の範囲】
【請求項１】
火災を検知する火災検知手段と、音を鳴動する音響鳴動手段と、操作入力を受け付ける操作入力受付手段と、火災検知手段が火災を検知したときに音響鳴動手段に警報音を鳴動させる制御手段とを備え、
制御手段は、操作入力受付手段で受け付けられる操作入力に応じて防犯モードに設定されるとともに当該防犯モードにおいては火災検知手段が火災を検知していないときに音響鳴動手段に生活音を鳴動させることを特徴とする火災警報器。
【請求項２】
時間をカウントするタイマ手段を備え、制御手段は、タイマ手段でカウントされる時間が予め設定される鳴動時間となったときに音響鳴動手段に生活音を鳴動させることを特徴とする請求項１記載の火災警報器。
【請求項３】
生活音を集音する集音手段と、生活音を記憶する記憶手段とを備え、制御手段は、集音手段で集音された生活音を記憶手段に記憶させることを特徴とする請求項１又は２記載の火災警報器。
【請求項４】
時間をカウントするタイマ手段を備え、制御手段は、タイマ手段でカウントされる時間が予め設定される録音時間となったときに集音手段で集音された生活音を記憶手段に記憶させることを特徴とする請求項３記載の火災警報器。
【請求項５】
制御手段は、集音手段で集音された生活音の中に異常な音が含まれている場合に音響鳴動手段に警報音を鳴動させることを特徴とする請求項３記載の火災警報器。
【請求項６】
ラジオ放送を受信する受信手段を備え、制御手段は、受信手段で受信するラジオ放送の放送音を音響鳴動手段に鳴動させることを特徴とする請求項１又は２記載の火災警報器。
【請求項７】
制御手段は、防犯モードに設定される際に火災検知手段及び音響鳴動手段の動作試験を行うことを特徴とする請求項１〜６の何れか１項に記載の火災警報器。
【請求項８】
照明光を発光する発光手段を備え、制御手段は、防犯モードにおいて定期的に発光手段を発光させることを特徴とする請求項１〜７の何れか１項に記載の火災警報器。
【発明の詳細な説明】
【技術分野】
【０００１】
本発明は、火災警報器に関するものである。
【背景技術】
【０００２】
従来より、火災を検知して警報音を鳴動する火災警報器が提供されている（例えば、特許文献１参照）。特に、最近は住宅への火災警報器の設置義務が法制化されたため、普及率が急速に高くなってきている。
【特許文献１】特開２００８−１３４８７６号公報
【発明の開示】
【発明が解決しようとする課題】
【０００３】
ところで、火災警報器は常に火災を検知する動作を行っているが、火災が発生していないとき、つまり、警報音を鳴動していないときには外見上何の役割も果たしていないように思われてしまう。
【０００４】
ここで、予め設定された時刻に照明を点滅させるタイマスイッチにおいて、例えば、毎日決まった時刻に照明を点灯、消灯させることで家人が在宅しているかのように見せかけて空き巣等の犯罪を防止することが行われている。この例では、タイマスイッチを本来の用途と異なる用途（防犯用途）に利用することで利便性を向上しているものである。
【０００５】
しかしながら、上記タイマスイッチのように照明の点灯・消灯によって在宅しているかのように見せかけることは、屋外から照明の点灯を判別できる夜間に限られてしまう。
【０００６】
本発明は上記事情に鑑みて為されたものであり、その目的は、本来の防災用途だけでなく防犯用途にも利用できる火災警報器を提供することにある。
【課題を解決するための手段】
【０００７】
請求項１の発明は、上記目的を達成するために、火災を検知する火災検知手段と、音を鳴動する音響鳴動手段と、操作入力を受け付ける操作入力受付手段と、火災検知手段が火災を検知したときに音響鳴動手段に警報音を鳴動させる制御手段とを備え、制御手段は、操作入力受付手段で受け付けられる操作入力に応じて防犯モードに設定されるとともに当該防犯モードにおいては火災検知手段が火災を検知していないときに音響鳴動手段に生活音を鳴動させることを特徴とする。
【０００８】
請求項１の発明によれば、防犯モードに設定されている制御手段が、火災検知手段で火災が検知されていないときに音響鳴動手段から生活音を鳴動させるので、留守中であっても人が居るように見せかけて空き巣等の犯罪を防止することができる。しかも、照明の点灯・消灯を利用する場合と違い、夜間だけでなく日中でも人が居るように見せかけることができる。その結果、本来の防災用途だけでなく防犯用途にも利用できる。
【０００９】
請求項２の発明は、請求項１の発明において、時間をカウントするタイマ手段を備え、制御手段は、タイマ手段でカウントされる時間が予め設定される鳴動時間となったときに音響鳴動手段に生活音を鳴動させることを特徴とする。
【００１０】
請求項２の発明によれば、任意の時間に生活音を鳴動させることで利便性が向上する。
【００１１】
請求項３の発明は、請求項１又は２の発明において、生活音を集音する集音手段と、生活音を記憶する記憶手段とを備え、制御手段は、集音手段で集音された生活音を記憶手段に記憶させることを特徴とする。
【００１２】
請求項３の発明によれば、設置場所の環境に応じた自然な生活音を鳴動させることでより効果的に人が居るように見せかけることができる。
【００１３】
請求項４の発明は、請求項３の発明において、時間をカウントするタイマ手段を備え、制御手段は、タイマ手段でカウントされる時間が予め設定される録音時間となったときに集音手段で集音された生活音を記憶手段に記憶させることを特徴とする。
【００１４】
請求項４の発明によれば、生活音を自動的に録音することができるために利便性が向上する。
【００１５】
請求項５の発明は、請求項３の発明において、制御手段は、集音手段で集音された生活音の中に異常な音が含まれている場合に音響鳴動手段に警報音を鳴動させることを特徴とする。
【００１６】
請求項５の発明によれば、例えば、物が壊れる音や人の叫び声などの異常な音が集音手段で集音されたときに警報音を鳴動させることで防犯性を高めることができる。
【００１７】
請求項６の発明は、請求項１又は２の発明において、ラジオ放送を受信する受信手段を備え、制御手段は、受信手段で受信するラジオ放送の放送音を音響鳴動手段に鳴動させることを特徴とする。
【００１８】
請求項６の発明によれば、常に異なる生活音を鳴動させることができる。
【００１９】
請求項７の発明は、請求項１〜６の何れか１項の発明において、制御手段は、防犯モードに設定される際に火災検知手段及び音響鳴動手段の動作試験を行うことを特徴とする。
【００２０】
請求項７の発明によれば、忘れられがちな動作試験を確実に実行することができる。
【００２１】
請求項８の発明は、請求項１〜７の何れか１項の発明において、照明光を発光する発光手段を備え、制御手段は、防犯モードにおいて定期的に発光手段を発光させることを特徴とする。
【００２２】
請求項８の発明によれば、生活音と照明光によってより効果的に人が居るように見せかけることができる。
【発明の効果】
【００２３】
本発明によれば、本来の防災用途だけでなく防犯用途にも利用可能な火災警報器が提供できる。
【発明を実施するための最良の形態】
【００２４】
（実施形態１）
本実施形態の火災警報器は、図１に示すように火災を検知する火災検知部２と、音を鳴動する音響鳴動手段と、生活音を記憶する音響用メモリ１１と、操作入力を受け付ける操作入力受付部９と、発光ダイオード等の光源を発光させて火災発生の警報を表示する表示部１０と、火災検知部２が火災を検知したときに音響鳴動手段に警報音を鳴動させるとともに表示部１０に火災発生の警報を表示させる制御部１とを備えている。尚、図示は省略しているが、本実施形態では商用交流電源（ＡＣ１００Ｖ）から供給される交流電力を直流電力に変換して各部に供給する電源回路部も備えている。
【００２５】
火災検知部２は、例えば、火災に伴って発生する煙や熱、炎などを検出することで火災を検知するものである。音響鳴動手段は、制御部１から出力される音響データをアナログの音響信号に変換する音源回路部３と、音源回路部３から出力される音響信号を増幅する増幅部４と、増幅部４で増幅された音響信号を音響に変換して鳴動するスピーカ５とで構成される。但し、この種の火災検知部２や音源回路部３の詳細な構成については、従来周知であるから詳細な説明は省略する。また、操作入力受付部９は１乃至複数のスイッチ（例えば、押釦スイッチ）を有しており、スイッチが操作されることで各スイッチに対応した操作入力を受け付けるとともに当該操作入力に対応した操作信号を制御部１に出力する。
【００２６】
制御部１は、メモリに格納されたプログラムをマイコンで実行することによって防災機能と防犯機能を実現している。まず防災機能について説明する。火災を検知した火災検知部２から火災検知信号が制御部１に入力されると、制御部１は、内蔵のメモリ（図示せず）に記憶されている警報音のデータを読み出して音源回路部３に出力するとともに制御信号を出力して表示部１０の光源を発光させる。ここで、メモリに記憶されている警報音のデータは、「火事です。」という音声メッセージのデータと、所定の周波数範囲（例えば、３００ヘルツ〜４キロヘルツ）に亘って周波数を連続的に変化させたスイープ音のデータである。そして、制御部１から出力された警報音データが音源回路部３でアナログの音響信号に変換された後に増幅部４で増幅されてスピーカ５から警報音（音声メッセージとスイープ音）が鳴動される。このように音声メッセージとスイープ音の２種類の警報音を鳴動することにより、電気機器が発するブザー音などとの区別が容易となって火災の発生を確実に報知することができるものである。尚、警報停止釦（図示せず）が操作されることで警報停止の操作入力が操作入力受付部９で受け付けられ、操作入力受付部９から警報停止の操作信号が出力されると、制御部１は音源回路部３を制御して警報音の鳴動を停止させるとともに制御信号を出力して表示部１０の光源を消灯させる。
【００２７】
次に、本発明の要旨である防犯機能について説明する。音響用メモリ１１には生活音の音響データが記憶されている。ここで、「生活音」とは、人が生活を営む上で当然に発生すると考えられる音であって、例えば、テレビ受像機から鳴動されるテレビ放送の放送音やラジオ受信機から鳴動されるラジオ放送の放送音、人の話し声、調理時に発する音（金属音や材料を炒める音など）等である。つまり、これらの音（生活音）が発せられている住宅には、通常、人が居る（在宅している）と見なすことができるので、実際には人が居ないとき（留守中）に擬似的な生活音（予め録音された生活音）を鳴動させることによってあたかも在宅中であるかのように見せかけることができる。
【００２８】
制御部１では、操作入力受付部９から防犯モード（留守モード）に設定するための操作信号を受け取ったときに防犯モードとなり、操作入力受付部９から防犯モードの設定を解除するための操作信号を受け取ったときに防犯モードから通常モードに復帰する。ここで、操作入力受付部９に防犯モードの設定／解除専用のスイッチを設けても構わないし、別の機能のスイッチ、例えば、警報停止用のスイッチが所定時間以上連続してオンされたときに防犯モードの設定／解除の操作入力を受け付けて操作信号を出力するようにしても構わない。
【００２９】
防犯モードに設定されている間、制御部１は、内蔵タイマで計時する時刻が予め決められた鳴動時間に一致しているときに音響用メモリ１１から生活音の音響データを読み出し、所定の時間周期（例えば、１０分周期）で音源回路部３に出力することによってスピーカ５から生活音を鳴動させる。尚、鳴動時間としては、人が在宅しているときに生活音の発生し易い時間帯、例えば、朝食の時間帯（午前７時〜午前８時の１時間）、昼食の時間帯（午後０時〜午後１時の１時間）、夕食の時間帯（午後７時〜午後８時の１時間）が望ましい。また、スピーカ５から鳴動される生活音の音量（音圧レベル）は窓や扉を閉め切った状態の室内から漏れる音（生活音）が屋外に居る人に聞こえる程度のレベル（例えば、６０デシベル程度）とすればよい。但し、火災検知部２で火災が検知されて警報音を鳴動している間は、例え防犯モードに設定されていても生活音を鳴動させずに警報音を鳴動させることは言うまでもない。
【００３０】
而して、本実施形態によれば防犯モードに設定されている制御部１が、火災検知部２で火災が検知されていないときにスピーカ５から生活音を鳴動させるので、留守中であっても人が居るように見せかけて空き巣等の犯罪を防止することができ、しかも、照明の点灯・消灯を利用する場合と違い、夜間だけでなく日中でも人が居るように見せかけることができる。その結果、火災警報器を本来の防災用途だけでなく防犯用途にも利用できる。また、本実施形態では予め設定された時刻に生活音が鳴動されるため、任意の時間に生活音を鳴動させることで利便性が向上するという利点がある。
【００３１】
（実施形態２）
本実施形態は、生活音を集音する集音手段を備えた点に特徴があり、基本的な構成は実施形態１と共通である。よって、実施形態１と共通の構成要素については同一の符号を付して説明を省略する。
【００３２】
図２に示すように、集音手段は、マイクロホン６と、マイクロホンから出力される音響信号を増幅する増幅部７とで構成される。尚、増幅部７で増幅された音響信号は信号判定部８を介して制御部１に入力される。
【００３３】
すなわち、実際の生活音は設置環境によって当然に違っているので、本実施形態では、集音手段（マイクロホン６と増幅部７）で集音された生活音を制御部１が音響用メモリ１１に記憶し、設置環境で実際に集音された生活音を鳴動するようにしている。例えば、制御部１は、内蔵タイマで計時する時刻が予め決められた録音時間に一致しているときにマイクロホン６で集音された生活音を音響データに変換して音響用メモリ１１に記憶させている。尚、録音時間としては、実施形態１で説明した鳴動時間と同じ時間帯が望ましい。
【００３４】
このようにマイクロホン６で集音した生活音（生活音の音響データ）を音響用メモリ１１に記憶しているので、設置場所の環境に応じた自然な生活音を鳴動させることでより効果的に人が居るように見せかけることができる。しかも、制御部１は予め設定された録音時間になるとマイクロホン６で集音した生活音を記憶しているから、生活音を自動的に録音することができるために利便性が向上するという利点がある。
【００３５】
ここで、本実施形態ではマイクロホン６で集音された音（生活音）の中に異常な音が含まれているか否かを信号判定部８で判定し、信号判定部８で異常な音が含まれていると判定された場合、制御部１が内蔵メモリに格納されている警報音（異常発生に対応した警報音）の音響データを読み出して音源回路部３に出力し、スピーカ５から当該警報音を鳴動させるようにしている。信号判定部８で判定する異常な音は、例えば、音圧レベルが８０デシベルを超える大きな音や物が壊れる音（ガラスが割れる音など）や人の叫び声などである。そして、信号判定部８は増幅部７から出力される音響信号を離散高速フーリエ変換し、特定の周波数の音（例えば、ガラスが割れる音や人の叫び声）の音圧レベルが所定のしきい値を超えているときに異常な音が含まれていると判定する。
【００３６】
上述のように本実施形態によれば、異常な音が集音手段（マイクロホン６）で集音されたときに警報音を鳴動させることで防犯性を高めることができるという利点がある。
【００３７】
（実施形態３）
本実施形態は、生活音としてラジオ放送の放送音を鳴動させる点に特徴があり、基本的な構成は実施形態１と共通である。よって、実施形態１と共通の構成要素については同一の符号を付して説明を省略する。
【００３８】
本実施形態の火災警報器は、図３に示すように音響用メモリ１１、マイクロホン６、増幅部７、信号判定部８を備えておらず、その代わりに、ラジオ放送（ＡＭ放送又はＦＭ放送）の電波を受信するためのアンテナ１２と、アンテナ１２で受信する電波を任意の放送局の周波数に同調させる同調回路部１３と、同調回路部１３から出力される受信信号を増幅するとともに当該受信信号から放送信号（音声信号）を検波する高周波増幅・検波回路部１４と、高周波増幅・検波回路部１４から出力される放送信号を増幅してスピーカ５に出力する低周波増幅回路部１５とを備えている。尚、同調回路部１３で同調させる放送局の周波数は、制御部１から制御することで変更可能である。
【００３９】
制御部１は、防犯モードに設定されている場合、内蔵タイマで計時する時刻が予め決められた鳴動時間（実施形態１における鳴動時間と同一）に一致しているときに同調回路部１３、高周波増幅・検波回路部１４、低周波増幅回路部１５を動作させてラジオ放送の放送音（生活音）をスピーカ５から鳴動させる。
【００４０】
而して本実施形態では、ラジオ放送を受信する受信手段（アンテナ１２，同調回路部１３，高周波増幅・検波回路部１４，低周波増幅回路部１５）を備え、受信手段で受信するラジオ放送の放送音をスピーカ５から鳴動させているので、音響用メモリ１１に記憶した生活音をスピーカ５から鳴動させる実施形態１に比べて、常に異なる生活音を鳴動させることができるという利点がある。
【００４１】
ところで、火災警報器を設置した場合、正常に警報音が鳴動されるか否かを確認する作業（機能試験）を定期的に行うことが義務づけられている。そのために実施形態１〜３の火災警報器では、操作入力受付部９で機能試験を実施するための操作入力が受け付けられて機能試験実行の操作信号が出力されると、制御部１が火災検知部２の動作状態を確認するとともに内蔵メモリから警報音（あるいは「正常です。」というような音声メッセージ）の音響データを読み出して音源回路部３に出力する。従って、音源回路部３や増幅部４、スピーカ５が正常に機能していれば警報音（あるいは「正常です。」というような音声メッセージ）がスピーカ５から鳴動されて正常に動作していることが確認でき、もしもスピーカ５から警報音（あるいは「正常です。」というような音声メッセージ）が鳴動されなければ正常に動作していないと判断できる。
【００４２】
ここで、防犯モードに設定するための操作入力と、機能試験を実行するための操作入力とを同一の操作入力とし、当該操作入力が操作入力受付部９で受け付けられて操作信号が出力されたときに、制御部１が防犯モードに設定されると同時に機能試験を実行すれば、通常、忘れられがちである機能試験を確実に実行することができる。
【００４３】
また、実施形態１〜３において、照明光を発光する発光手段を備え、制御部１が、防犯モードにおいて定期的（例えば、夜間の鳴動時間のみ）に発光手段を発光させれば、生活音と照明光によってより効果的に人が居るように見せかけることができる。尚、発光手段としては、サイズや消費電力の観点から高出力形の白色発光ダイオードを用いることが望ましい。
【図面の簡単な説明】
【００４４】
【図１】本発明の実施形態１を示す回路ブロック図である。
【図２】本発明の実施形態２を示す回路ブロック図である。
【図３】本発明の実施形態３を示す回路ブロック図である。
【符号の説明】
【００４５】
１  制御部（制御手段）
２  火災検知部（火災検知手段）
３  音源回路部（音響鳴動手段）
４  増幅部（音響鳴動手段）
５  スピーカ（音響鳴動手段）
【図１】
2010073043.tif 000003
【図２】
2010073043.tif 000004
【図３】
2010073043.tif 000005